(57)【特許請求の範囲】
【請求項１】
筒状に編み立てる脚部に続けてアキレス腱覆い部となる目数増減領域を形成し、該アキレス腱覆い部である目数増減領域に続けて短い筒編み領域によって踵上部筒編み領域を形成し、該踵上部筒編み領域に続けて目数増減領域によって踵上後方覆い部を形成し、該踵上覆い部である目数増減領域に続けて短い筒編み領域によって踵中央筒編み領域を形成し、該踵中央筒編み領域に続けて目数増減領域によって踵下後方覆い部を形成し、該踵下後方覆い部である目数増減領域に続く短い筒編み領域によって踵下部筒編み領域を形成し、該踵下筒編み領域に続けて、踵前方ゆとり部となる目数増減領域を形成し、該目数増減領域に続けて足部を形成したことを特徴とする靴下。
【発明の詳細な説明】
【技術分野】
【０００１】
この発明は、筒状に編み立てる脚部に続けて脚部の後半部に編目減少領域及び編み目増加領域を配置することによって踵部分を形成する靴下の構造に関する発明である。
【背景技術】
【０００２】
図３に示すように、従来の靴下１の一般的な構造は、筒状に編み立てる脚部２の下端後半部に目数減少領域６と、目数増加領域７を配置することによって膨らみ形状である踵部４を形成し、踵部４を形成した上で筒状の足部３を編み立て、先端に爪先部５を形成している。爪先部５には、足底部先端に形成する目数減少領域及び目数増加領域のゴアライン８と開口部を閉じる縫着線９が現れる。
【先行技術文献】
【特許文献】
【０００３】
【特許文献１】特許第４１８２０２５号公報
【発明の概要】
【発明が解決しようとする課題】
【０００４】
従来の一般的な靴下の踵構造では、必ずしも踵部分の形状に一致する構造の靴下を得ることができなかった。特許文献１に記載された発明では、踵部分に短筒編み領域を配置することによって、踵部分に装飾的な編み込みを可能とするとともに、従来の靴下に比較して、足にフィットする履き心地の良い靴下を実現することができた。
【０００５】
しかしながら、特許文献１に記載された発明は、必ずしも十分に足の形にフィットするものでないとともに、例えば足部に締め付け領域が設けられる場合などでは、靴下が先方に位置ズレすることを有効に防止することができなかった。このような、従来技術の欠点に鑑み、本発明はより一層踵にフィットするとともに、着用中に位置ズレを生じにくい靴下の踵部分の構造を実現することを目的とするものである。また、特許文献１に開示された靴下の装飾機能をより発展させるとともに、より機能的な靴下を実現することを目的とするものである。
【課題を解決するための手段】
【０００６】
請求項１記載の発明は、筒状に編み立てる脚部２に続けて目数増減領域10によってアキレス腱覆い部を形成する。このアキレス腱覆い部である目数増減領域10に続けて短い筒編み領域によって踵上部筒編み領域11を形成し、該踵上部筒編み領域11に続けて目数増減領域12Ａによって踵上後方覆い部を形成する。
さらに、踵上覆い部である目数増減領域12Ａに続けて短い筒編み領域によって踵中央筒編み領域15を形成し、該踵中央筒編み領域15に続けて目数増減領域12Ｂによって踵下後方覆い部を形成する。
踵下後方覆い部である目数増減領域12Ｂに続く短い筒編み領域によって踵下部筒編み領域13を形成するとともに、踵下筒編み領域13に続けて、踵前方ゆとり部となる目数増減領域14を配置した靴下とする。そして、前方ゆとり部となる目数増減領域14に続けて足部５を形成する。
上記、踵上部筒編み領域11と踵下部筒編み領域13は、伸縮性の糸を挿入するなどして伸縮性を持たせることによって、踵後方覆い部の上下2箇所を締め付けるようにすることができる。
【発明の効果】
【０００７】
請求項１記載の発明によれば、筒状に編み立てる脚部２に続けて、目数増減領域10、踵上部筒編み領域11、目数増減領域12Ａによって踵上後方覆い部を形成するとともに、目数増減領域12Ａに続けて、踵中央筒編み領域15、目数増減領域12Ｂによって踵下後方覆い部を、目数増減領域12Ｂに続けて踵下筒編み領域13を、踵下筒編み領域13に続けて踵前方ゆとり部となる目数増減領域14を形成することによって、足の踵部分の形状に近い形状の踵部分を備えた靴下を実現することができ、より履き心地のよい靴下を実現することができる。
また、模様などを編み込む際に、複数の短い筒編み領域が踵部分に存在するため、バリエーションにとんだ模様を実現することができる。
【０００８】
なお，脚部２に続くアキレス腱覆い部である目数増減領域10は、例えばパイル編みとすることによってアキレス腱を保護することができる。また、踵下筒編み領域３に続けてゆとり部となる目数増減領域14を形成することによって、靴下が前方へ移動しようとする動きを弱める効果がある。
【図面の簡単な説明】
【０００９】
【図１】図１は、本発明の実施形態を示す正面図、
【図２】図２は、図１に示す実施形態の踵部分の展開図、
【図３】図３は従来の靴下の一例を示す正面図である。
【発明を実施するための形態】
【００１０】
以下、本発明に係る靴下の好ましい実施形態を添付の図面に基づいて説明する。
図１に示す靴下１は、上端に履き口16を形成して筒状に編み立てる脚部２に続けて、後半部に目数増減領域10を形成し、この目数増減領域10に続けて踵上部筒編み領域11を編み立てる。
【００１１】
踵上部筒編み領域11に続けて目数増減領域12Ａによって踵上後方覆い部を、目数増減領域12Ａに続けて短い筒編み領域である踵中央筒編み領域15を、踵中央筒編み領域15に続けて目数増減領域12Ｂを形成することによって踵下後方覆い部を形成する。
そして、踵下後方覆い部である目数増減領域12Ｂに続けて踵下部筒編み領域13を形成するとともに、踵下筒編み領域13に続けて、目数増減領域14を設けることによって足部３の方向性などを設定し、続けて筒状の足部３を編み立てる。
【００１２】
図１に示す実施形態の靴下を編み立てるには、履き口16から針釜を一定方向に回転させ、全ての編み針を編み立てに関与させることによって筒編み領域である脚部２を編み立てる。一定寸法の脚部を編み立て、脚部２の下端に達した段階で、針釜の回転運動を往復回動運動に変更する。例えば針釜の回動角度を、略１８０度から９０度程度の範囲で順次減少させ、その範囲の編み針が編み立てに関与する状態で目数増減領域10を編み立てる。図２から理解されるように、図示例の目数増減領域10は目数を減少させている。
【００１３】
目数増減領域10に続けて、１センチメートル程度の間針釜を一定方向に回転させ、全ての編み針を編み立てに関与させることによって踵上部筒編み領域11を編み立てる。
踵上部筒編み領域11を編み立てた後に目数増減領域として踵上後方覆い部12Aを編み立てる。踵上後方覆い部12Aに続けて短筒状である踵中央筒編み領域15を編み立て、さらに踵下後方覆い部12Bと、踵下部筒編み領域13及び目数増減領域14を配置する。
踵下部筒編み領域13に続けて配置する目数増減領域14は、図示例では目数増加領域とし、これに続けて針釜を一定方向に回転させ、全ての編み針を編み立てに関与させることによって足部３を編み立てる。
【００１４】
筒状に編み立てる脚部２に続けて後半部に形成する目数増減領域10は、アキレス腱部分に相当する。したがって、この目数増減領域10をアキレス腱覆い部とする。アキレス腱覆い部は、例えば柔軟なパイル編みとしてアキレス腱を保護することができる構造とする。目数増減領域10をアキレス腱覆い部とするほか、踵の後方部分を覆う目数増減領域12Ａや踵下部筒編み領域13に続く目数増減領域12Ｂも、柔軟なパイル編みとすることにより、履き心地の良い靴下を実現することができる。また、スポーツなどの用途(要求される機能)によって、筒編み領域を脚部や足部の編み方と相違する編地、例えばメッシュ編みとすることもできる。
【００１５】
目数増減領域においては、柄を編み込むことが困難であるが、筒編み領域においては柄を編み込むことが可能である。したがって、特許文献１に記載された発明によって、従来模様を編み込むことが困難であった踵部分に、具体的には短い筒編み領域に模様を編み込むことが可能となったものであるが、本発明では、短い筒編み領域が複数形成されることから、より複雑な柄19を編み込むことが可能となる。
【００１６】
目数減少領域10、目数増減領域12Ａ、12Ｂ、目数減少領域14の編み方は、例えばパイル編みとすることによって、アキレス腱保護などの機能を発揮することができる。同じように、短い筒編み領域11、13、15も用途に合った編み方をすることができる。例えば、周方向に伸縮性を持たせることによって、締め付け効果を発揮することができる。特に、踵上部筒編み領域11と踵下部筒編み領域13を伸縮性の糸を挿入することによって締め付け効果を発揮することができる。踵上部筒編み領域11と踵下部筒編み領域13に締め付け機能を付加することによって、目数増減領域12Ａや12Ｂで踵部分を覆った状態を維持し、踵部分の目数増減領域12Ａないし12Ｂから踵が移動するのを効果的に防止し、靴下全体が足によりフィットする状態を実現することができる。この効果は、動きの激しいスポーツ用ソックスなどにおいて有効である。
このように、踵部分で靴下をしっかりと安定させると、足部に締め付け部分を配置するもの(例えば土踏まずを締め付ける健康ソックス)であっても靴下のズレをなるべく防止することができる。
【００１７】
目数増減領域10、12Ａ、12Ｂ、14は、目数増加領域と目数減少領域の配置が特定される必要はなく、目数の増加もしくは減少によって、足にフィットする形状を実現すればよい。例えば、図２に示す目数増減領域である踵上後方覆い部12Aと踵下後方覆い部12Bはいずれも目数増加領域12aと、これに続く目数減少領域12bで形成している。
また、図示実施形態の踵部分の目数増減領域は、中心位置において左右対称の状態で規則的に増減させるように図示している(図２)が、目数増減領域を左右に移動させ、あるいは目数増減領域の形状そのものを左右非対称とすることによって、例えば右足用と左足用を区別し、より一層足の形に近い履き心地に優れた靴下を実現することが可能である。
【符号の説明】
【００１８】
１…靴下、  ２…脚部、  ３・・・足部、  ４・・・踵部、  ５・・・爪先部、  ６・・・目数減少領域、  ７・・・目数増加領域、  ８…ゴアライン、  ９・・・縫着線、  10・・・目数増減領域、  11・・・踵上部筒編み領域、  12Ａ、12Ｂ・・・目数増減領域、  13…踵下部筒編み領域、  14・・・目数増減領域、  15…踵中央筒編み領域、  16・・・履き口。
【図１】
0005204026.tif 000002
【図２】
0005204026.tif 000003
【図３】
0005204026.tif 000004